(57)【要約】【課題】締め付けの違和感が少なく、屈曲時にサポート力が増大する関節用のサポータを提供する。【解決手段】屈曲動作時に支点となる関節に装着されるサポータであって、筒型または巻付型の本体１１には、前記関節の少なくとも左右いずれか一方または左右両側に相当する位置にポケット１４が設けられ、該ポケット内に流動性物質を袋体に充填してなる加圧材２１が挿入され、前記関節の屈伸動作に応じて前記加圧材が変形されると前記流動性物質が流動して内部圧力に変動を発生させ、屈曲時において前記関節の左右いずれか一方または両側部の圧力を高めてサポート力が増強される構成としている。【選択図】図１
2008173179.tif 000002
【特許請求の範囲】
【請求項１】
屈曲動作時に支点となる関節に装着されるサポータであって、
筒型または巻付型の本体には、前記関節の少なくとも左右いずれか一方または左右両側に相当する位置にポケットが設けられ、該ポケット内に流動性物質を袋体に充填してなる加圧材が挿入され、
前記関節の屈伸動作に応じて前記加圧材が変形されると前記流動性物質が流動して内部圧力に変動を発生させ、屈曲時において前記関節の左右いずれか一方または両側部の圧力を高めてサポート力が増強される構成としていることを特徴とするサポータ。
【請求項２】
前記加圧材の袋体は可撓性樹脂製で、その内部に流動性物質としてエア、ゲル状物質あるいは微細粉体が充填されている請求項１に記載のサポータ。
【請求項３】
前記加圧材は流動性物質としてエアが充填されたエアバックとされ、
前記袋体は密閉構造として、エアバックは使い捨てされると共にエア圧を変えたエアバックと交換可能とし、あるいは、
前記袋体は開閉弁を備えたエア注入口を備え、エア圧の減少時あるいはエア圧増強時にエアを注入できる構成としている請求項１または請求項２に記載のサポータ。
【請求項４】
前記ポケットは前記本体の外面側あるいは内面側に設けられると共に、屈曲時の形状に対応させた円弧状あるいは「く」の字状として上下方向に延在させ、
前記加圧材を着脱自在に装着するため、上端開口、止め具で閉鎖される側面開口、長さ方向の中央部に設けた幅方向のスリット、あるいは幅方向の中央部に設けた長さ方向のスリットが備えられている請求項１乃至請求項３のいずれか１項に記載のサポータ。
【請求項５】
前記筒型あるいは巻付型の本体は、表面が布で被覆された弾性樹脂材からなり、該弾性樹脂材には前記関節の形状に応じた膨出部あるいは／および窪み部が成形されている請求項１乃至請求項４のいずれか１項に記載のサポータ。
【請求項６】
膝、肘、足首あるいは／および手首の関節に装着されるものである請求項１乃至請求項５のいずれか１項に記載のサポータ。
【請求項７】
膝用サポータであって、前記本体は膝関節周囲に装着される筒型または巻付型とされ、該本体の膝頭に相当する部分に円形状の穴が刳り貫かれている一方、
前記本体の内面に別体の弾性樹脂材からなる裏面材が設けられ、該別体の弾性樹脂材に前記貫通穴内に膨出する膝当て部が設けられていると共に該膝当て部の左右両側部と前記本体とで前記ポケットを形成しており、該ポケット内に前記加圧材が着脱自在に挿入可能とされ、
直立時よりも膝屈曲時に前記加圧材が圧迫されて該加圧材内の圧力が高まり、膝関節の左右いずれか一方あるいは左右両側へのサポート力が増強される構成としている請求項１乃至請求項６のいずれか１項に記載のサポータ。
【請求項８】
膝用サポータであって、前記本体の膝頭に相当する部分は円形状に膨出され、あるいは、
前記本体の膝頭に相当する部分に円形状の穴が刳り貫かれ、あるいは、
前記本体の膝頭に相当する部分に円形状の穴が刳り貫かれていると共に、別体の弾性樹脂材からなる表面材を重ね、該表面材に円形の膨出部を設け、該表面材を側方へ延在させて前記ポケットを設けている請求項１乃至請求項６のいずれか１項に記載のサポータ。
【請求項９】
前記本体の膝裏部の膝関節屈曲位置に開口部が設けられている請求項７または請求項８に記載のサポータ。
【請求項１０】
前記本体の膝頭を挟む左右両側に、外向きに湾曲する三日月形状の前記ポケットが設けられ、該ポケットに挿入する前記加圧材はポケットの形状に沿った三日月形状とされている請求項７乃至請求項９のいずれか１項に記載のサポータ。
【請求項１１】
前記膝用サポータの下端は、ふくらはぎの最大部の位置あるいは該最大部を超える下方位置とし、上端は膝上から大腿部の中間部までの範囲内としている請求項７乃至請求項１０のいずれか１項に記載のサポータ。
【発明の詳細な説明】
【技術分野】
【０００１】
本発明は、膝、肘等の屈曲動作の支点となる関節周りに装着するサポータに関するものである。
【背景技術】
【０００２】
この種のサポータとして、従来より膝用サポータが多数提供されている。例えば、特開平７−２６５３５４号公報で開示されている図１２に示すサポータ１では、膝関節の左右両側の屈伸ラインに沿う位置にサイドボーン２を配設し、サイドボーン２により、膝屈伸を補助するように作用し、膝の負担を軽減できるとされている。
【０００３】
通常、膝の痛みは軟骨の磨り減りや、膝関節を支配する大腿四頭筋や靭帯が加齢や運動不足等により衰えて関節を支えきれなくなることにより、骨と骨がぶつかることが主な原因となっている。しかしながら、前記のようなサイドボーン２は、サポータの位置ズレを防止する効果はあるが、実際に膝関節の骨と骨のぶつかりを緩和する効果は非常に弱く、膝用サポータとしての機能は不十分である。
【０００４】
また、特開２０００−２３２９９２号公報では、図１３に示すように、膝関節の左右両側に当たる位置に膝関節を押圧する副木７およびクッション材８を取り付けるとともに、サポータ本体６の外周に巻き付けるバンド９を設けたサポータ５を提案している。このサポータ５は、バンド９で膝周りを締め付けることにより関節面を強固に固定できると共に、前記副木７とクッション材８とで一層強く圧迫固定できることで、膝の負担を軽減できるとされている。
【０００５】
しかしながら、前記サポータ５は膝回り全体を常時強く締め付ける構造であるため、膝の動きが拘束されるうえ、膝を曲げたときに特に膝裏での圧迫が強くなる点に問題がある。また、膝への負担は直立時よりも膝を曲げたときに大きくなるが、膝屈曲時のサポート力の強化については考慮されていない。
【０００６】
【特許文献１】特開平７−２６５３５４号公報
【特許文献２】特開２０００−２３２９９２号公報
【発明の開示】
【発明が解決しようとする課題】
【０００７】
本発明は前記問題に鑑みてなされたもので、膝用のサポータでは、膝周り全体を常時強く締め付けるのではなく、特に膝への負担が大きくなる膝屈曲時に強いサポート力を発揮して、膝関節の骨と骨のぶつかりを緩和できる膝用サポータの提供を課題としている。
さらに、膝関節と同様に屈曲動作時に支点となる関節、例えば、肘、足首、手首等の関節部においても、屈曲動作時に不用意な捻れ回転を発生させないように、強いサポート力を発揮できるサポータを提供することを課題としている。
【課題を解決するための手段】
【０００８】
前記課題を解決するために、本発明は、屈曲動作時に支点となる関節に装着されるサポータであって、
筒型または巻付型の本体には、前記関節の少なくとも左右いずれか一方または左右両側に相当する位置にポケットが設けられ、該ポケット内に流動性物質を袋体に充填してなる加圧材が挿入され、
前記関節の屈伸動作に応じて前記加圧材が変形されると前記流動性物質が流動して内部圧力に変動を発生させ、屈曲時において前記関節の左右いずれか一方または両側部の圧力を高めてサポート力が増強される構成としていることを特徴とするサポータを提供している。
【０００９】
前記構成からなる本発明のサポータは、サポート力を発生させる手段が、従来用いられている弾性パットやボーンではなく、流動性物質を袋体に充填した加圧材からなることを特徴としている。流動性物質を用いることで、屈伸動作に応じて流動性物質が流動して加圧材の内部で圧力変動が生じ、関節を屈曲した時にはサポート力を高めたい箇所の圧力が高まる一方、関節を伸ばした時には圧力は略均等となり、過大な負荷をかけないものとなる。
【００１０】
詳細には、本発明のサポータは、関節の骨を加圧材が側部から支えて安定させ、関節の左右方向のズレを防止できると共に、関節の左右側副靭帯を加圧補助して骨と骨のぶつかりを防止できる。さらに、その加圧力（サポート力）は、関節を伸ばした状態より屈曲時に、加圧材の袋体も変形されて圧迫され、それにより内部の流動性物質の反発力で増大する。従って、関節の周囲を常時強く締め付ける従来のサポータに比して不快感や動き辛さを緩和できると共に、関節の屈曲時には大きなサポート力を発揮して膝への負担を大幅に軽減することができる。
一方、関節を伸ばした状態では、加圧材が原状に復帰して、関節の両側に適宜な均等な圧迫力を負荷できる。
かつ、流動性物質より圧力を負荷しているので、肌当たりがよいと共にフィット性が高いため、装着時の違和感を緩和できる。
【００１１】
前記加圧材を挿入するポケットは、前記のように、左右いずれか一方、あるいは左右両側に設けているが、さらに、関節を囲む上側や下側に設け、Ｕ形状、逆Ｕ形状、さらには環状に設けてもよい。
【００１２】
前記加圧材の袋体は可撓性樹脂製で、その内部に流動性物質としてエア、ゲル状物質あるいは微細粉体が充填されている。
前記ゲル状物質としてはジェル体等が挙げられ、前記微細粉体としてはパウダービーズ等が挙げられる。
このような、空気やゲル状物質を充填した加圧材であれば、適度な形態安定性と変形性を併せ持つため、屈曲時および伸ばした時のいずれも、関節の動きや表面形状に添った形状に変化し、違和感なく膝に密着して効率よく加圧補助機能を発現できる。
【００１３】
その中でも、取り扱いやすさ、コスト、軽量である点から、流動性物質としてエアが最も好適に用いられ、加圧材を所謂エアバックとしていることが好ましい。
前記袋体は密閉構造として、エアバックは使い捨てとすると共に、エア圧を変えたエアバックと交換できるようにしてもよい。即ち、エア圧力を変えた加圧材をオプションとして用意しておくことが好ましい。
あるいは、前記袋体は開閉弁を備えたエア注入口を備えた構成とし、エア圧の減少時あるいはエア圧増強時にエアを注入できる構成としてもよい。
【００１４】
前記ポケットは前記本体の内面側に設けても良いし、外面側に設けてもよい。
また、左右いずれか一方、あるいは両側に設けるポケットは、屈曲時の形状に対応させた円弧状あるいは「く」の字状として上下方向に延在させて設けることが好ましい。
【００１５】
また、ポケット内に加圧材を挿入した後に挿入口を縫着して本体に固定してもよいが、関節に装着するサポータには汗が染み込みやすいため、適宜な期間をあけて洗濯される。  よって、洗濯時に加圧材に損傷が発生しないように、ポケットに加圧材を着脱自在に挿入する構成とすることが好ましい。さらに、加圧材の破損時の修理・交換、圧力の異なる加圧材との取替えて、好みや症状に応じた加圧材の硬さ調節も可能な点より、ポケットに加圧材を着脱自在とすることが好ましい。
その場合、ポケットの上端を開口して挿脱口としてもよいが、ポケットを円弧状あるいは「く」の字状に屈曲させていると、上端開口から加圧材を挿入しにくいため、側面を開口して止め具で開閉しても良い。さらに、長さ方向の中央部に幅方向のスリットを設けてもよいし、幅方向の中央部に長さ方向のスリットを設けてもよい。
【００１６】
前記筒型あるいは巻付型の本体は、表面が布で被覆された弾性樹脂材からなり、該弾性樹脂材は前記関節の形状に応じた膨出部あるいは／および窪み部が成形されていることが好ましい。
前記のように、本体をウレタン等の弾性樹脂材で成形して、表面を繊維で被覆した構成とすると、関節を締付感を与えることなく、適度の負荷を与えることができ、かつ、屈伸挙動を阻害せず、着用感を高めることができる。
また、弾性樹脂材で形成すると、関節の形状に応じた膨出部あるいは／および窪み部を容易に成形できる。このように、関節の形状に対応した形状とすることで、サポータのずれを防止することができると共に、着用時の違和感をより低減することができる。
【００１７】
本発明のサポータは、膝、肘、足首あるいは／および手首等の屈曲動作時の支点となる関節に装着されるものであれば、その用途は限定されない。
【００１８】
膝用サポータとした場合、前記本体は膝関節周囲に装着される筒型または巻付型とされ、該本体の膝頭に相当する部分に円形状の穴が刳り貫かれている一方、
前記本体の内面に別体の弾性樹脂材からなる裏面材が設けられ、該別体の弾性樹脂材に前記貫通穴内に膨出する膝当て部が設けられていると共に該膝当て部の左右両側部と前記本体とで前記ポケットを形成しており、該ポケット内に前記加圧材が着脱自在に挿入可能とされ、
直立時よりも膝屈曲時に前記加圧材が圧迫されて該加圧材内の圧力が高まり、膝関節の左右いずれか一方あるいは左右両側へのサポート力が増強される構成としていることが好ましい。
【００１９】
前記構成の膝用サポータでは、加圧材が膝蓋骨を側部から支えて安定させ、膝関節の左右方向のズレを防止できると共に、膝関節の左右側副靭帯を加圧補助して骨と骨のぶつかりを防止できる。さらに、その加圧力（サポート力）は、直立時よりも膝への負担が大きくなる膝屈曲時に、加圧材が圧迫されることに因る前記流動性物質の反発力で増大する。従って、膝周囲を常時強く締め付ける従来のサポータに比して不快感や動き辛さを緩和できると共に、膝屈曲時には大きなサポート力を発揮して膝への負担を大幅に軽減することができる。
また、加圧材内の充填物が流動性物質であるため、膝の屈曲や直立に応じて流動して、常時、膝の両側に適宜の圧迫力を負荷でき、かつ、肌当たりがよいと共にフィット性が高いため、装着時の違和感を緩和できる。
さらに、膝頭に相当する部分には本体に円形の刳り貫きを設け、該刳り貫きに膝頭を覆う膨出した裏面材を設けているため、サポータの位置ずれを発生させない構成とすることができる。
なお、前記膝用サポータの本体は、筒型、巻付型のいずれでもよく、巻付型の場合は、巻付端の接合位置が膝前側あるいは膝裏側のいずれ側にくるものでもよいが、膝裏側とすることが好ましい。
【００２０】
また、膝用サポータでは、前記本体の膝頭に相当する部分は円形状に膨出され、あるいは、前記本体の膝頭に相当する部分に円形状の穴が刳り貫かれ、あるいは、
前記本体の膝頭に相当する部分に円形状の穴が刳り貫かれていると共に、別体の弾性樹脂材からなる表面材を重ね、該表面材に円形の膨出部を設け、該表面材を側方へ延在させて前記ポケットを設けてもよい。
【００２１】
前記のように膝頭に相当する部分の本体を膝頭が丁度嵌合するように膨出させると、サポータの位置ずれを発生させない構成とすることができる。
また、膝頭に相当する部分に穴をあけると、穴から放熱、放湿でき、特に夏場の汗や熱による不快感を解消できると共に、膝頭の挙動が自由となり、運動追従性に優れたものとなる。
さらに、前記のように本体には膝頭に当たる部分に穴を空けると共に、膨出させた表面材を重ねると、発汗性を保持できると共に、位置ずれ機能も優れ、かつ、該表面材でポケットも形成すると、簡単な構成としながら多機能を付与できる。
【００２２】
さらに、膝用サポータでは、膝裏部の膝関節屈曲位置に開口部が設けられていることが好ましい。
この膝裏の開口部により、膝屈曲時における膝裏でのサポータ生地の折り重なって皺が発生するのを解消でき、膝裏への圧迫感を緩和できるため、歩行や膝屈伸などの運動を違和感なく楽にできるようになると共に、サポータの位置ズレも防止できる。また、該開口部から放熱、放湿でき、特に夏場の汗や熱による不快感を解消できる。
【００２３】
なお、前記膝頭の膨出あるいは開口、膝裏の開口は膝用サポータに限らず、肘用サポータでは肘頭に相当する部分を膨出させ、あるいは開口を設け、肘裏（肘内側）には開口を設けることが好ましい。
【００２４】
また、膝用サポータでは、前記本体の膝頭を挟む左右両側に、外向きに湾曲する三日月形状の前記ポケットが設けられていることが好ましい。その場合、該ポケットに挿入する前記加圧材はポケットの形状に沿った三日月形状とされる。
【００２５】
さらに、前記左右の加圧材よりも外側で、膝関節の左右両側に当たる位置に、サイドボーンを備えた構成としてもよい。
このサイドボーンの取り付け箇所は耐屈曲性が強くなるため、大きく屈曲する膝裏側への回り込みを該サイドボーンによって規制でき、サポータの位置ズレを確実に防止できる。
なお、前記サイドボーンは、膝屈曲方向と反対方向に湾曲した弓状のものを取り付けることが好ましい。これにより、膝屈曲方向への耐屈曲性を一層高めることができる。
【００２６】
本発明の膝用サポータでは、下端は、ふくらはぎの最大部の位置あるいは該最大部を超える下方位置とし、上端は、膝上から大腿部の中間部までの範囲内としていることが好ましい。
なお、下端を足首まで延在させ、上部側の左右両側にポケットを設けて加圧材を挿入し、膝サポート部とすると共に、足首回りの左右両側にもポケットを設けて加圧材を挿入し、足首サポート部とし、アキレス腱のサポートを兼ねるものとしてもよい。その場合、足首から膝にかけた部分も膝下脚部が弾性樹脂材からなる本体で覆われて適度に圧力が負荷されるため、脚を細く補整する機能も備えたものとすることができる。
さらに、本発明のサポータは防水（撥水）素材で形成して、水中使用も可能となのとしてもよい。
【発明の効果】
【００２７】
上述したように、本発明の関節用のサポータでは、エア等の流動性物質を袋体に充填した加圧材を用いているため、関節屈曲時に袋体が変形されると共に圧迫されると、内部の流動性物質が流動して圧力変動が発生して加圧材内で部分的に圧力が増し、関節を伸ばした状態より屈曲時に関節の側部に当たる部分で加圧材は硬くなってサポート力が増大する。従って、屈曲時におけるサポート力を関節を伸ばした時よりも強くでき、関節を側方から支えて安定させ、関節の左右のズレを防止できると共に、側副靭帯を加圧補助して関節への負担を軽減することができる。一方、関節を伸ばした状態では適度の加圧力しか負荷せず、強く締め付けていないと共に、加圧材に流動性物質を充填しているため、肌あたりがよく、装着感の良いものとすることができる。
【００２８】
さらに、加圧材をポケットに挿入して着脱自在に取り付ける構成とすると、圧力の異なるサポータとの交換等が容易となり、好みや症状に応じた加圧材の硬さ調節が可能となる。
【００２９】
特に、加齢に伴い軟骨が退化して屈曲時に関節部に痛みが発生しやすい膝関節のサポータとすると、膝の屈曲時に関節の側部を加圧材で強くサポートすることができるため、膝を締め付けることなく、屈曲時におけるサポート機能が高いサポータとすることができる。
【発明を実施するための最良の形態】
【００３０】
以下、本発明の実施形態を図面を参照して説明する。
図１乃至図６は本発明の第１実施形態に係る膝用サポータ１０を示す。
膝用サポータ１０は、膝関節全周を覆う円筒形状のサポータであり、長さを膝上からふくらはぎの最大部の位置までとし、膝前側を覆う膝当て部Ａから左右両側部Ｂを経て膝裏側Ｃで縫着されている本体１１の裏面に、膝当て部Ａから左右両側部Ｂにかけて延在させた裏面材４１を縫着し、左右両側部Ｂにおいて本体１１と裏面材４１との間に形成した左右一対のポケット１４にエアバック状の加圧材２１を挿入する構成としている。
【００３１】
前記本体１１及び裏面材４１は、表面が布で被覆されたポリウレタンの弾性樹脂材からなり、本体１１の膝当て部Ａの中央部に、図１及び図２に示すように、膝蓋骨に当たる略中央位置に膝頭を突出させる膝頭開口部１３を設けている。さらに、本体１１には、前記膝頭開口部１３の左右両側で、かつ、前記ポケット１４の長さ方向の略中央位置に挿入用スリット４２を設けている。
【００３２】
前記裏面材４１は、図３に示すように、膝当て部Ａから左右両側部Ｂを覆う形状とし、左右両外縁１２ａ，１２ｂおよび下縁１２ｃを本体１１と縫着すると共に、上縁１２ｄが左右両側縁の一部を除いて縫着している。
【００３３】
裏面材４１の左右両外縁１２ａ、１２ｂはそれぞれ膝裏側Ｃに向けて屈曲した円弧形状とすると共に、膝当て側Ａに向けて所要幅Ｗをあけて前記外縁１２ａ、１２ｂと平行な円弧形状のライン１２ｅ、１２ｆに沿って本体１１と縫着している。これにより、外縁１２ａとライン１２ｅ（１２ｂと１２ｆ）および下縁１２ｃで本体１１と縫着されると共に上端に挿入用開口１４ａを備えた左右一対のポケット１４を形成している。
前記左右一対のポケット１４は膝当て部Ａと膝裏部Ｃに挟まれた左右両側部Ｂにおいて、外向きに湾曲した三日月形状として上下方向に延在している。
【００３４】
前記裏面材４１の膝当て部Ａの中央部で、且つ前記本体１１の膝頭開口部１３に当たる部分は加熱プレスして膨出部１５を成形し、該膨出部１５を本体１１に形成した膝頭開口部１３から露出させている。
【００３５】
前記左右一対のポケット１４には、図４に示すエアバック状の加圧材２１をポケット１４の上端の挿入用開口１４ａまたは本体１１に設けられた挿入用スリット４２を通して取り出し自在に挿入している。
前記加圧材２１は、ポケット１４の形状と略相似の三日月形状とした袋体２２内にエア２４を密封している。袋体２２は容易に変形する可撓性を有する樹脂で成形しており、本実施形態ではポリプロピレンとスチレン系エラストマーのブレンド樹脂で形成している。  本実施形態における樹脂の引張試験（ＪＩＳ  Ｋ−７１１３の２号型ダンベル試験片、引張速度５０ｍｍ／ｍｉｎ）における降伏点強度を１．９０ＭＰａ、引張弾性率を９．０ＭＰａとしている。
袋体２２は、エア吹き込み口２３からエア２４を吹き込み、該袋体２２内が所要の空気圧となったところでエア吹き込み口２３を封鎖加工することにより製造している。
本実施形態では、９０度曲げ圧縮時のエア圧は１７．８ｋＰａとしている。また、エア２４を袋体２２内に密封した状態での破壊強度を６．８６ｋＮとしている。
【００３６】
左右一対の前記加圧材２１をポケット１４に挿入した状態で、三日月状の外側湾曲部２５を膝頭開口部１３側に向け、膝頭開口部１３を中心にＸ字状に配置されるようにしている。
なお、左右のポケット１４それぞれの外側には、樹脂板あるいは金属板からなる弓形状のサイドボーンを取り付けてもよい。
【００３７】
前記構成よりなる膝用サポータ１０を装着すると、エア２４が充填された加圧材２１が関節の側副靭帯に沿って配置され、靭帯が違和感なく加圧サポートされると共に、加圧材２１が壁となって膝蓋骨を左右から支えて膝関節を安定させ、膝にかかる負担を効果的に軽減できる。
【００３８】
特に、膝への負担が小さい直立時には、図６（Ａ）に示すように、加圧材２１は強く圧迫されないため、サポート力も強くないが、膝への負担が大きくなる膝屈曲時には、図６（Ｂ）に示すように、加圧材２１自体が長さ方向の略中央部で屈曲してエア２４が上下両側へと流動して圧力が高まると共に、ポケット１４の裏面材４１と本体１１との間で圧迫され、内部のエア２４の反発力によって圧力が高まり、側副靭帯へのサポート力が増強される。従って、膝周囲を常時強く締め付け固定するのではなく、膝への負担が小さい直立時には締め付け力を緩和し、動きやすさを確保する一方、膝への負担が大きい屈曲時には締め付け力を強化し、膝の痛みを効果的に和らげることができる。
【００３９】
さらに、前記加圧材２１は、ポケット１４に着脱自在に取り付けできるため、洗濯時等において取り出すことができると共に、空気圧の異なる加圧材との交換によって締め付け力（硬さ）の調節も可能となる。
【００４０】
さらにまた、本体１１及び裏面材４１は弾性樹脂材から構成されているので、膝の屈曲挙動を阻害しない。また、図６（Ａ）（Ｂ）に示すように、膝頭開口部１３により膝頭が安定的に支持されるので、膝を屈曲しても、位置ずれを防ぐことができる。さらに、突出した膝頭には裏面材４１からなる膨出部１５が伸びてフィットするので、膝の屈曲により、本体１１の膝関節の外周部分のみが過度に引張られることがなく、膝裏への圧迫感を緩和し、膝裏で生地が折り重なってだぶつくことも防止できる。その結果、膝を冷やすことなく、快適な装着感を得ることができる。
【００４１】
なお、前記ポケット１４は上端に挿入用開口１４ａ、本体１１に挿入用スリット４２を設けているが、該ポケット１４への加圧材２１の挿脱を容易とするため図７（Ａ）（Ｂ）に示す構成としてもよい。
図７（Ａ）ではポケット１４の膝裏側に位置する内周円弧部を開口１４ｃとし、該開口１４ｃの端縁に沿って本体１１と裏面材４１との間に互いに係止する雌雄ボタン２８を取り付けている。なお、雌雄ボタン２８にかえてスライドファスナーあるいは面ファスナーを取り付けてもよい。
図７（Ｂ）では、ポケット１４の幅方向の中央部で長さ方向にスリット１４ｅを設け、該スリット１４ｅを押し開いて加圧材２１を挿脱できるようにしている。
【００４２】
図８乃至図１１は本発明の第２実施形態に係る膝用サポータ２０を示す。
第２実施形態の膝用サポータ２０は巻付型のサポータとし、膝前側を覆う膝当て部Ａから左右両側部Ｂを経て膝裏側Ｃを覆う連続した本体１１に、膝当て部Ａおよび左右両側部Ｂを覆う表面材１２を縫着し、左右両側部Ｂにおいて本体１１と表面材１２との間に形成した左右一対のポケット１４にエアバック状の加圧材２１を挿入する構成としている。
【００４３】
前記本体１１には、膝当て部Ａの中央部に、図９に示すように膝蓋骨に当たる略中央位置に膝頭を露出させる膝頭開口部１３を設けている。また、膝裏側Ｃを覆う左右両側部１１ａ、１１ｂは夫々上下に分割して上下帯部１６ａ、１６ｂ、１７ａ、１７ｂを設け、上下帯部１６ａと１６ｂ、１７ａと１７ｂの間に大きな空間を空けていると共に、左右方向で上下帯部の突出量を変えている。
即ち、図１中の右上帯部１６ａより右下帯部１６ｂを長尺とすると共に、左上帯部１７ａを左下帯部１７ｂより長尺としている。
かつ、長尺側の右下帯１６ｂと左上帯１７ａには外面側に雌面ファスナー１８を縫着すると共に、短尺側の右上帯１７ａと左下帯１７ｂには内面側に雄面ファスナー１９を縫着している。
前記のように左右の上下帯部１６ａ〜１７ｂを膝裏側に配置して雌雄面ファスナー１８と１９とを係合することで巻き付け状態を保持し、かつ、その間に膝裏側開口２６が生じるようにしている。
【００４４】
前記表面材１２は、膝当て部Ａから左右両側部Ｂを覆う形状とし、左右両外縁１２ａ，１２ｂおよび下縁１２ｃを本体１１と縫着すると共に、上縁１２ｄが左右両側縁の一部を除いて縫着している。
【００４５】
表面材１２の左右両外縁１２ａ、１２ｂはそれぞれ外向きに屈曲した円弧形状とすると共に、膝当て側Ａに向けて所要幅Ｗをあけて前記外縁１２ａ、１２ｂと平行な円弧形状のライン１２ｅ、１２ｆに沿って本体１１と縫着している。これにより、外縁１２ａとライン１２ｅ（１２ｂと１２ｆ）および下縁１２ｃで本体１１と縫着されると共に上端に挿入用開口１４ａを備えた左右一対のポケット１４を形成している。
前記左右一対のポケット１４は膝当て部Ａと膝裏部Ｃに挟まれた左右両側部Ｂにおいて、外向きに湾曲した三日月形状として上下方向に延在している。
【００４６】
前記表面材１２の膝当て部Ａの中央部で、且つ前記本体１１の膝頭開口部１３に当たる部分は加熱プレスして膨出部１５を成形して、膝頭が膝頭開口部１３を通して膨出部１５に嵌合されるようにしている。
【００４７】
本実施形態では、膝裏の屈曲位置に開口部２６を設けているため、放熱、放湿効果を有すると共に、膝を屈曲しても、図１１（Ｂ）に示すように、膝裏で生地が折り重なってだぶつくことを防止でき、膝裏への圧迫感を緩和できる。
加圧材２１は第１実施形態と同様であると共に、他の構成および作用は第１実施形態と同様であるため説明を省略する。
【００４８】
図１２に膝用サポータの第３実施形態を示す。
第３実施形態の膝用サポータ３０は円筒形状とし、かつ、本体１１に表面材１２を取り付けず、ポケット材３１を本体１１の外面に縫着してポケット１４を形成している。
本体１１の膝頭に当たる部分には膨出部３２を熱プレスで成形している。
該膨出部３２の左右両側に第１実施形態と同様な三日月形状としたポケット材３１を本体１１に縫着しポケット１４を形成している。該ポケット材３１は膝裏側に面する内周円弧縁３１ａは縫着せずに、加圧材２１を横入れ、横出しする挿入口３３としている。該挿入口３３には上下両端と中央部に前記雌雄ボタン２８を取り付けている。
また、本体１１の膝裏に当たる部分には膝裏開口部３５を設けている。
加圧材２１は第１実施形態と同様であると共に、他の構成および作用は第１実施形態と同様であるため説明を省略する。
【００４９】
図１３に膝用サポータの第４実施形態を示す。
第４実施形態の膝用サポータ４０は、ポケット１４を左右いずれか一側部に設けている点だけが第３実施形態と相違し、他の構成は同一である。
このように左右いずれか一側にポケット１４を設けた場合、膝の外側あるいは内側に痛みが生じる場合、痛みが生じる側にポケット１４を位置させ、該ポケット１４に挿入する加圧材２１でサポートすることができる。
【００５０】
なお、図１４（Ａ）に示すように、ポケット１４を膝頭の下側で左右のポケット１４の間にも設けてもよい。
さらに、図１４（Ｂ）に示すように、膝頭の上側と下側にも設けて、左右のポケットと連続した環状としてもよい。
【００５１】
図１５（Ａ）（Ｂ）（Ｃ）に膝以外の屈曲動作の支点となる関節に装着する第５、第６、第７実施形態を示す。いずれの実施形態も前記第１、第２実施形態と同様な作用を奏する。
【００５２】
図１５（Ａ）の第５実施形態は肘用サポータ５０であり、前記第１実施形態と同様な筒型とし、その左右両側にポケット１４を設けて加圧材２１を挿入している。肘頭に当たる部分には膨出部（図示せず）を設けている。
【００５３】
図１５（Ｂ）の第６実施形態は手首用サポータ６０であり、前記第１実施形態と同様な筒型とし、その左右両側にポケット１４を設けて加圧材２１を挿入している。この手首用サポータ６０を装着すると、手首が安定支持でき、手首の不用意な捩れを防止することができる。
なお、手袋と一体化させて、手袋の手挿入側にサポータ部を付設してもよい。
【００５４】
図１５（Ｃ）の第７実施形態は足首用サポータ７０であり、前記第１実施形態と同様な筒型とし、足首裏のアキレス鍵の両側にポケット１４を設けて加圧材２１を挿入している。この足首用サポータ７０を装着すると、足首の左右両側および足裏部が安定して支持でき、アキレス腱を安定支持できる。
【００５５】
図１６に膝から足首にかけた下肢用サポータ８０の第８実施形態を示す。
第８実施形態のサポータ８０も第１実施形態と同様な筒型とし、膝上から足首まで延在する長尺な筒状の本体１１を備える。
該本体１１の上端側の膝に当たる部分には左右両側にポケット８１を設けると共に下端側の足首に当たる部分には、左右両側および足首裏側にポケット８２を設け、それぞれ加圧材２１を挿入する構成としてる。
また、膝から足首の間の中間部では、ふくらはぎを囲む部分では若干膨出させて脚の形状に沿わせるように成形すると共に、この中間部はポケットを設ける上下両側よりも本体１１の厚さを薄くして装着性を高めている。
【００５６】
前記サポータ８０を装着すると膝と足首の両方のサポートを図ることができると共に、膝から足首のかけた下肢の全域を覆うため、脚を細くする補整機能も付加することができる。
【００５７】
本発明は前記実施形態に限定されず、ポケットに加圧材を挿入した後に縫着して加圧材を取出不可としても良いし、ポケットを本体の内面側あるいは外面側のどちらに設けてもよい。
さらに、本体および表面材の素材はウレタンに限定されず、伸びが比較的少なく弾性を有する素材であればよい。
また、膝、肘、手首、足首のサポータに限定されず、身体の屈曲支点となる関節のある位置に装着するサポータとして適用することができる。
【図面の簡単な説明】
【００５８】
【図１】本発明の第１実施形態に係る膝用サポータの斜視図である。
【図２】図１に示す膝用サポータの表面の側面図を示し、（Ａ）は左側面図、（Ｂ）は右側面図である。
【図３】図１に示す膝用サポータの裏面の側面図を示し、（Ａ）は図２（Ｂ）の裏面、（Ｂ）は図２（Ａ）の裏面である。
【図４】図１に示す膝用サポータの加圧材を示し、（Ａ）は正面図、（Ｂ）は側面図である。
【図５】図１示す膝用サポータの装着状態を示す正面図である。
【図６】図１に示す膝用サポータの装着状態の側面図で、（Ａ）は直立時の状態を示し、（Ｂ）は屈曲時の状態を示す図である。
【図７】（Ａ）（Ｂ）は加圧材を挿入するポケットの挿入口の変形例を示す図面である。
【図８】本発明の第２実施形態に係る膝用サポータの正面図である。
【図９】図８に示す膝用サポータの裏面図である。
【図１０】図８に示す膝用サポータの装着状態を示し、（Ａ）は正面図、（Ｂ）は背面図である。
【図１１】図８に示す膝用サポータの装着状態の側面図で、（Ａ）は直立時の状態を示し、（Ｂ）は屈曲時の状態を示す図である。
【図１２】第３実施形態の膝用サポータの斜視図である。
【図１３】第４実施形態の膝用サポータの斜視図である。
【図１４】（Ａ）（Ｂ）はポケットを増やした変形例である。
【図１５】（Ａ）は肘用サポータの第５実施形態の概略図、（Ｂ）は手首用サポータの第６実施形態の概略図、（Ｃ）は足首用サポータの第７実施形態の概略図である。
【図１６】第８実施形態のサポータの概略図である。
【図１７】従来例の図である。
【図１８】他の従来例の図である。
【符号の説明】
【００５９】
１０  膝用サポータ
１１  本体
１２  表面材
１４  ポケット
２１  加圧材
２２  袋体
２４  エア（流動性物質）
４１  裏面材
【図１】
2008173179.tif 000003
【図２】
2008173179.tif 000004
【図３】
2008173179.tif 000005
【図４】
2008173179.tif 000006
【図５】
2008173179.tif 000007
【図６】
2008173179.tif 000008
【図７】
2008173179.tif 000009
【図８】
2008173179.tif 000010
【図９】
2008173179.tif 000011
【図１０】
2008173179.tif 000012
【図１１】
2008173179.tif 000013
【図１２】
2008173179.tif 000014
【図１３】
2008173179.tif 000015
【図１４】
2008173179.tif 000016
【図１５】
2008173179.tif 000017
【図１６】
2008173179.tif 000018
【図１７】
2008173179.tif 000019
【図１８】
2008173179.tif 000020